(57)【要約】      （修正有）【課題】ベルトの長さ調整を簡単に行えること、及び、ベルトの表面の傷付きを抑制できることに加え、部品点数を削減でき、製造コストをより低廉なものとすることができる優れたベルト用バックル、及び当該ベルト用バックルを備えたベルトを提供する。【解決手段】ベルト用バックルＫは、バックル本体と係止片９とを備え、バックル本体は、一対の側枠２と、側枠２の対向する後端間にベルト本体を取り付けるためのベルト固定部４を備え、側枠２間に架橋されるベルト支持部１３を備え、側枠２の対向する先端間にベルト押さえ部５を備え、ベルト押さえ部５の裏面から先端面にかけて曲面を有し、係止片９は、ベルト押さえ部５の軸に対して枢着してあり、係止片９の裏面から基端面にかけて曲面を有し、係止片９の表面から基端面９ｄにかけて角部を有し、係止片９の先端側の裏面には係止ピンを備える。【選択図】図１
0003201864.tif 000002
【実用新案登録請求の範囲】
【請求項１】
バックル本体（１）と係止片（９）とを備え、
前記バックル本体（１）は、一対の側枠（２）と、該側枠（２）の対向する後端間にベルト本体（３）を取り付けるためのベルト固定部（４）を備え、
前記側枠（２）間に架橋されるベルト支持部（１３）を備え
前記側枠（２）の対向する先端間にベルト押さえ部（５）を備え、該ベルト押さえ部（５）の裏面から先端面にかけて曲面（５ａ）を有し、
前記係止片（９）は、前記ベルト押さえ部（５）の軸に対して枢着してあり、
当該係止片（９）の裏面から基端面（９ｄ）にかけて曲面（９ａ）を有し、該係止片の表面から基端面（９ｄ）にかけて角部（９ｃ）を有し、
当該係止片（９）の先端側の裏面には係止ピン（１１）を備えたことを特徴とするベルト用バックル。
【請求項２】
前記係止ピン（１１）は、係止片（９）の先端方向に対する俯角αが６５°以上７７°以下であることを特徴とする請求項１記載のベルト用バックル。
【請求項３】
前記バックル本体（１）における前記ベルト支持部（１３）は、前記係止片（９）と当接可能となる位置に備えたことを特徴とする請求項１又は２記載のベルト用バックル。
【請求項４】
前記ベルト支持部（１３）は、表面に前記係止ピン（１１）と係脱可能となる凹部（１４）を備えたことを特徴とする請求項１、２又は３記載のベルト用バックル。
【請求項５】
ベルト本体（３）の一端に、前記請求項１、２、３又は４記載のベルト用バックルを備えたことを特徴とするベルト。
【請求項６】
長手方向に伸縮性を有するベルト本体（３）を備えたことを特徴とする請求項５記載のベルト用バックルを備えたベルト。
【考案の詳細な説明】
【技術分野】
【０００１】
本考案は、ズボン、スカートなどの締着手段であるベルトの一端に用いるバックル（以下、ベルト用バックルという。）、及びこれを備えたベルトに関する。
【背景技術】
【０００２】
一般に、ズボン、スカートなどの締着手段として使用されるベルト本体の一端に取付けられているベルト用バックルとしては、締着に際して、当該ベルト用バックルの圧着片を用いてベルト本体の他端側を挟持するベルト用バックル（以下、公知バックルＡ）や、ベルトの他端側の止め孔に係止ピンを挿入して係止するベルト用バックル（以下、公知バックルＢ）が公知である。
【０００３】
前記公知バックルＡは、前記圧着片を緩めることによりバックルを操作して緩めたり、締めたりすることで長さを無段階に調節可能とするものである。
【０００４】
また、前記公知バックルＢは、ベルトの長さ調整を行なう際に、ベルトの先端をバックルから引き抜き、さらにベルトを締める方向に引張り係止ピンをベルト穴から引き抜いた後、ベルトを緩めて所望のベルト穴まで移動させ、該ベルト穴に係止ピンを差し込んで調整して行なうものである。
【０００５】
更に、上記以外のベルト用バックルとして、バックル自体は係止ピンを有しているが、当該係止ピンをベルト穴から離脱させて調整するのではなく、バックルの一側に設けた係止レバーを操作することにより、ベルトに連結したスライド板を移動させてベルトの調整を行なうものが公知である（例えば、特許文献１参照。）
【先行技術文献】
【特許文献】
【０００６】
【特許文献１】登録実用新案第３１１０７４０号公報
【考案の概要】
【考案が解決しようとする課題】
【０００７】
上記の公知バックルＡは、圧着片を緩めることによりバックルを操作して緩めたり、締めたりする操作を行うことで、当該バックルの金具や圧着片に対してベルトの表面が擦れて傷みやすく、長期間使用しているとバックルはベルトの経年変化に伴い締着力が低下し、不用意な弛みの発生により何度も締め直す必要が生じる欠点がある。
また、ベルト圧着子で常にベルトの表面を擦りながら挟持してベルトを解放、係止するのでベルトの表面に傷がつき長く使用できない点においても問題である。
【０００８】
上記の公知バックルＢは、係止ピンをベルト孔に挿入して装着するため、一度締めた位置が緩むことがない点において優れるものの、ベルトを緩める場合や締め付ける場合はバックルをベルト穴から外してからベルト調整を行うため、簡単に行なうことができない欠点がある。
【０００９】
上記特許文献１に係る考案は、作動杆のレバー片を操作するだけでベルトをバックルから引き抜くことなく簡単に係止フックをベルト穴から離脱できるので、ベルトの長さ調整を簡単に行なうことができる点で、公知バックルＢよりも優れている。
また、ベルトの表面の傷付きを抑制できる点で、公知バックルＡよりも優れている。
【００１０】
しかしながら、構造が複雑であり、また部品点数も多くなるため、加工精度や組立に要する労力等の負担が大きく、製造コストの高騰を招来する点で問題がある。
【００１１】
またばねを内蔵するため、ばねが破断した場合には機能が損なわれる欠点があり、耐久性においても十分とは言えない物であった。
【００１２】
本考案は以上の事情に鑑みてなされたものであり、ベルトの長さ調整を簡単に行えること、及び、ベルトの表面の傷付きを抑制できることに加え、部品点数を削減でき、製造コストをより低廉なものとすることができ、更には、耐久性を向上することができる優れたベルト用バックル、及び当該ベルト用バックルを備えたベルトの提供を、考案が解決しようとする課題とする。
【課題を解決するための手段】
【００１３】
本考案は、バックル本体と係止片とを備え、前記バックル本体は、一対の側枠と、該側枠の対向する後端間にベルトを取り付けるためのベルト固定部を備え、前記側枠間に架橋されるベルト支持部を備え、前記側枠の対向する先端間にベルト押さえ部を備え、該ベルト押さえ部の裏面から先端面にかけて曲面を有し、前記係止片は、前記ベルト押さえ部の軸に対して枢着してあり、当該係止片の裏面から基端面にかけて曲面を有し、該係止片の表面から基端面にかけて角部を有し、当該係止片の先端側の裏面には係止ピンを備えたことを特徴とするベルト用バックルを、上記課題を解決するための手段とする。
【００１４】
本考案は上記考案の構成を前提として、前記係止ピンは、係止片基体の先端方向に対する俯角αが６５°以上７７°以下であることを特徴とするベルト用バックルを、上記課題を解決するための手段とする。
【００１５】
本考案は、上記いずれかの考案の構成を前提として、前記バックル本体における前記ベルト支持部は、前記係止片と当接可能となる位置に備えたことを特徴とするベルト用バックルを、上記課題を解決するための手段とする。
【００１６】
本考案は、上記何れかの考案の構成を前提として、前記ベルト支持部は、表面に前記係止ピンと係脱可能となる凹部を備えたことを特徴とするベルト用バックルを、上記課題を解決するための手段とする。
【００１７】
本考案は、上記何れかの構成を有するベルト用バックルを備えたベルトを、上記課題を解決するための手段とする。
【００１８】
本考案は、長手方向に伸縮性を有するベルト本体（３）を備えた上記ベルト用バックルを備えたベルトを、上記課題を解決するための手段とする。
【考案の効果】
【００１９】
本考案は、バックル本体と係止片とを備え、前記バックル本体は、一対の側枠と、該側枠の対向する後端間にベルトを取り付けるためのベルト固定部を備え、前記側枠間に架橋されるベルト支持部を備え、前記側枠の対向する先端間にベルト押さえ部を備え、該ベルト押さえ部の裏面から先端面にかけて曲面を有し、前記係止片は、前記ベルト押さえ部の軸に対して枢着してあり、当該係止片の裏面から基端面にかけて曲面を有し、該係止片の表面から基端面にかけて角部を有し、当該係止片の先端側の裏面には係止ピンを備えたことを特徴とするベルト用バックルとしたことから、着用の際には、ベルト用バックルの裏面側からベルトの先端を一定の交差角度で挿通すると、ベルトの先端が係止ピンに当接して、係止ピンが外方向き位置として維持され、ウエストを締める方向（押方向）にベルトを円滑に移動でき、調整位置近傍でベルトを逆向きとなる引き方向（バックルに概ね水平方向）へ引張することにより、ベルト用バックルの係止片の角部がベルトの表面との摩擦抵抗によって引張され、当該係止片が起き上がり、係止ピンが内方向きとなる。係止ピンはベルトの移動に伴いベルト止め孔に嵌り込むまで当該ベルトの表面と摺接し、その後ベルト止め孔に係止する。係止ピンとベルトの摺接時には、係止ピンの基端面に曲面を有しているため、ベルトの表面の傷付きが大幅に抑制される。
またサイズ調整の際には、着用状態からウエストを締める方向にベルトの先端を僅かに移動させることで、ベルトの膨らみ等による摩擦抵抗の上昇と、当該係止片の曲面とベルト表面との当接によって、当該係止片が反転して、係止ピンがベルト止め孔から離脱する。次いでベルト用バックルに対するベルトの傾き加減（俯角β）を大きくとりながら係止ピンとの摩擦抵抗を低減させてベルトをスライドさせ（このスライドは押し方向でも引き方向でもよい）、所望の調整位置近傍でベルトをバックルに概ね水平方向へ引張することにより、ベルト用バックルの係止片の角部がベルトの表面との摩擦抵抗によって引張され、当該係止片が起き上がり、係止ピンが内方向きとなる。係止ピンはベルトの移動に伴いベルト止め孔に嵌り込むまで当該ベルトの表面と摺接し、その後ベルト止め孔に係止する。係止ピンとベルトの摺接時には、係止ピンの基端面に曲面を有しているため、ベルトの表面の傷付きが大幅に抑制される。
また、脱着時には、着用状態からウエストを締める方向にベルトの先端を僅かに移動させることで、ベルトの膨らみによる摩擦抵抗の上昇と、当該係止片の曲面とベルト表面との当接によって、当該係止片が反転して、係止ピンがベルト止め孔から離脱する。
この状態においてベルト用バックルに対するベルトの傾き加減（交差角）を大きくすることで、係止片の反転状態（角部が下方、即ち、ベルト表面側）に位置するため、ベルトを当該ベルト用バックルから抜く方向へ移動させても、係止片は、ベルトの表面との当接によって容易には回転せず、そのままベルトを抜くことができる。
係止片の反転状態においては、前記角部に隣接した平面部がベルトの表面と僅かに摺るだけであるため、ベルトの表面の傷付きが大幅に抑制される。
このため、上記本考案の独自の機構によって、着用時、調整時、脱着時のいずれにおいても簡単に操作でき、ベルトの表面の傷付きを大幅に抑制でき、長期の使用に耐えうる効果が発揮できることができ、部品点数の低減が実現されて低廉とすることができ、ばねを使用することもないので、前記部品点数の低減と相まって耐久性を向上できるベルト用バックルが提供できる。
【００２０】
また本考案によれば、上記考案の構成を前提として、前記係止ピンは、係止片基体の先端方向に対する俯角αが６５°以上７７°以下であることとしたから、上記考案の作用効果を奏する上に、係止片の回転による係止ピンのベルト止め孔に対する着脱が円滑に行える効果が得られる。
【００２１】
また本考案によれば、上記何れかの考案を前提として、前記バックル本体における前記ベルト支持部は、前記係止片と当接可能となる位置に備えたことから、上記何れかの考案の作用効果を奏する上に、係止片の３６０°の回転を阻止することで、不用意な係止片の回転を阻止し、操作性を向上させることができる。
【００２２】
また本考案によれば、上記何れかの考案を前提として、前記ベルト支持部は、表面に前記係止ピンと係脱可能となる凹部を備えたことから、上記何れかの考案の作用効果を奏する上に、ベルトの装着時において、係止ピンが凹部と係止した状態が確保でき、係止ピンに対する負荷をバックル本体で受けることができるため、係止ピンの破損等を抑制し、ベルト用バックルの耐久性を向上させることができる。
【００２３】
また本考案によれば、上記何れかのベルト用バックルを備えたベルトとすることによって、上記いずれかのベルト用バックルの作用効果を発揮できるベルトを提供することができる。
【００２４】
また本考案によれば、上記ベルト用バックルを備えたベルトを前提として、そのベルト本体は長手方向に伸縮性を有するものとしたことから、上記考案の作用効果を奏する上に、ベルト本体３の弾性力によって係止ピンがベルト止め孔の側部を押圧しながら係止するため、より強固に当該ベルト用バックルを係止させることができる。
【図面の簡単な説明】
【００２５】
【図１】本考案の実施例に係るベルト用バックルの平面図である。
【図２】本考案の実施例に係るベルト用バックルの正面図である。
【図３】本考案の実施例に係るベルト用バックルの右側面図である。
【図４】本考案の実施例に係るベルト用バックルの左側面図である。
【図５】本考案の実施例に係るベルト用バックルにおけるバックル本体の平面図である。
【図６】本考案の実施例に係るベルト用バックルにおける係止片の底面図である。
【図７】本考案の実施例に係るベルト用バックルにおける係止片の正面図である。
【図８】本考案の実施例に係るベルト用バックルにおける支軸の平面図である。
【図９】ベルト用バックルの水平方向とベルトのスライド方向との交差角度βを示す説明断面図である。
【図１０】ベルトとベルト用バックルが係止していない状態を示す説明断面図である。
【図１１】ベルトの一端に装着した実施例に係るベルト用バックルと、当該ベルトの他端とを係止した状態の説明断面図である。
【図１２】ベルト用バックルの係止片がベルトの動きに対応して起き上がり、ベルトを当該ベルト用バックルから解放する状態を示す説明断面図である。
【図１３】ベルト用バックルの係止片がベルト上に摺接している状態を示す説明断面図である。
【図１４】本考案の実施例に係るベルト用バックルとベルト本体とからなるベルトを示す一部省略した平面図である。
【考案を実施するための形態】
【００２６】
以下に、本考案の実施例に係るベルト用バックルＫ、及びこれを備えたベルトＬについて説明する。
尚、本考案は以下に示す構成に限るものではなく、本考案の技術的思想を逸脱しない範囲内において、種々の変形例、設計変更などを含む。
【実施例】
【００２７】
本考案の実施例に係るベルト用バックルＫは、図１〜図８に示すように、夫々金属材料によって形成されるバックル本体１、係止片９、支軸１２によって構成される。
【００２８】
本実施例に係るベルト用バックルＫを構成するバックル本体１は、図５に示すように、一対の側枠２と、該側枠２の後端間に対向して設けられるベルト固定部４と、前記側枠２の対向する先端間に架橋されるベルト押さえ部５と、前記ベルト押さえ部５及びベルト固定部４との間で側枠２の裏面間に当接して架橋されるベルト支持部１３を備えている。
また対向するベルト押さえ部５間には係止片９を嵌めるための間隙部６を有する。
前記ベルト押さえ部５とベルト支持部１３と側枠２によってベルト挿通開口１５を有する。
【００２９】
また、一方の側枠２の外側面から一方のベルト固定部４を貫通する貫通孔７を備える。また、他方のベルト固定部４の先端における前記貫通孔７に対向する位置から一定深さで穿設される軸孔８を備える。これらの貫通孔７及び軸孔８は、支軸１２の取付に使用するものである。本実施例においては、当該軸孔８はスプライン孔として構成している。
【００３０】
図５に示すように、バックル本体１のベルト支持部１３は、平面視中央が僅かに後退するように少許弓状に湾曲させた輪郭形状を有する。その中央表面から前面にかけて係止ピン１１の先端が係脱可能となる凹部１４を備える。
【００３１】
本実施例においては、ベルト押さえ部５は、一対からなり、夫々その裏面から先端面にかけて曲面を有している。前記したように、一対のベルト押さえ部５間には間隙部６を形成してある。
【００３２】
図６、図７に示すように、本実施例に係るベルト用バックルＫにおける係止片９は、四角柱状の係止片基体９ｂの先端側の裏面から突出して設けられる係止ピン１１とから構成される。
【００３３】
係止片基体９ｂはその基端側に横軸孔１０を有する。その裏面から基端面９ｄにかけて曲面９ａを有する。また表面から基端面９ｄにかけては側面視直角となる角部９ｃを有する。
【００３４】
一方、本実施例における係止ピン１１は、円錐の先端を半球状に形成しこれを傾斜して突出させた形状を有する。円錐の中心軸線は、前記係止片基体９ｂの底面に水平なラインに対して俯角αを７７°としてある。
【００３５】
図８に示すように、前記支軸１２は、先端側に前記軸孔８と嵌合するスプライン軸部１２ａを有している。
【００３６】
前記間隙部６に係止片９を配置し、ベルト押さえ部５の貫通孔７と係止片基体９ｂの横軸孔１０とを一致させた状態で、側枠２の外側面に開口した貫通孔７から支軸１２を挿通し、当該ベルト押さえ部５と、係止片基体９ｂとを連通し、対向する側のベルト押さえ部５の軸孔８と支軸１２のスプライン軸部１２ａとを嵌合することで、バックル本体１、係止片９、支軸１２が一体となり、図１から図４に示すベルト用バックルＫが構成できる。
この状態において、係止片基体９ｂの曲面（即ち、係止片９の曲面）は、前記ベルト押さえ部５の曲面とは略同一面として形成される。また、係止片９は回転可能に枢着される。
【００３７】
また、このようにして構成したベルト用バックルＫのベルト固定部４に対して、ベルト本体３の一端を巻き付け固着して、図１４に示すように、ベルトＬを構成する。
【００３８】
上記実施例に係るベルト用バックルＫを備えたベルトＬを装着する場合には、胴囲に沿わせたベルト本体３の先端と当該ベルト用バックルＫとを突き合わせた状態において、ベルト用バックルＫの裏面側からベルト本体３の先端を一定の交差角度βで挿通する（図９参照。）。
ベルト本体３の先端が係止ピン１１に当接して、係止ピン１１が外方向き位置として維持される。
ベルト本体３をベルト用バックルＫに対して一定範囲の交差角度βに保ちながらベルト本体３を円滑にスライドさせることができる。
調整位置近傍において、図１０に示すように、ベルト本体３をベルト用バックルに概ね水平となるように引き方向へ引張すると、ベルト用バックルＫの係止片９の角部９ｃが作用点となり、ベルト本体３の表面との摩擦抵抗によって引張され、当該係止片９が起き上がり、係止ピン１１が内方向きとなる（図１３参照。）。
ベルト本体３をスライドさせることにより、係止ピン１１はベルト本体３の表面と摺接しながらベルト止め孔３ａに係止することとなる（図１１参照）。
【００３９】
また、上記実施例に係るベルト用バックルＫを備えたベルトＬを装着後、サイズ調整を行う場合には、前記装着状態から、ウエストを締める方向にベルトの先端を僅かに移動させることで、ベルト本体３の膨らみ等による摩擦抵抗の上昇と、当該係止片９の曲面とベルト本体３の表面との当接によって、当該係止片９が反転して、係止ピン１１がベルト止め孔３ａから離脱する（図１２参照。）。
次いでベルト用バックルＫに対するベルト本体３の交差角度β（図９参照。）を大きくとりながら係止ピン１１との摩擦抵抗を低減させてベルト本体３を所望の方向へスライドさせ、図１０に示すように、調整位置近傍でベルト本体３をバックルに概ね水平方向へ引張することにより、ベルト用バックルＫの係止片９の角部９ｃが作用点となり、ベルト本体３の表面との摩擦抵抗によって引張され、当該係止片９が起き上がり、係止ピ１１が内方向きとなる（図１３参照。）。
そして、ベルト止め孔３ａまでベルト本体３をスライドさせることにより、係止ピン１１はベルト本体３の表面と摺接しながらベルト止め孔３ａに係止することとなる（図１１参照。）。
【００４０】
また、上記実施例に係るベルト用バックルＫからベルト本体３の先端を脱着する場合には、サイズ調節時と同様に、上記着用状態からウエストを締める方向にベルト本体３の先端を僅かに移動させることで、ベルト本体３の摩擦抵抗の上昇と、当該係止片９の曲面とベルト本体３の表面との当接によって、当該係止片９が反転して、係止ピン１１がベルト止め孔３ａから離脱する（図１２参照。）。
この状態において図９に示すように、ベルト用バックルＫに対するベルト本体３の交差角度βを大きくすることで、係止片９の反転状態（角部９ｃが下方、即ち、ベルト本体３の表面側）に位置するため、ベルト本体３を当該ベルト用バックルＫから抜く方向へ移動させても、係止片９は、ベルト本体３の表面との当接によって容易には回転せず、そのままベルト本体３の先端をベルト用バックルＫから脱着することができる。
【００４１】
本実施例においては、係止片９の反転状態においては、前記角部９ｃに隣接した平面部がベルト本体３の表面と僅かに摺るだけであるため、ベルト本体３の表面の傷付きが大幅に抑制される。
【００４２】
また、上記したように、係止ピン１１はベルト本体３の移動に伴いベルト止め孔３ａに嵌り込むまで当該ベルト本体３の表面と摺接し、その後ベルト止め孔３ａに係止するが、係止ピン１１とベルト本体３の摺接時には、係止ピン１１の基端面９ｄの曲面とベルト押さえ部５の裏面の曲面とが略同一面となってベルト本体３の表面に対して傷を与え難い形状であるため、ベルト本体３の表面の傷付きが大幅に抑制される。
またこれに加えて、係止ピン１１の先端は半球面状であるため、ベルト本体３の表面に傷をつけ難い利点を有する。このため、従来のベルト用バックルＫのようにベルト止め孔３ａ付近にも折目を形成するということもなく、ベルト本体３に優しく、ベルト本体３の表面に傷がつかずベルトＬを長持ちさせることができる。
【００４３】
上記実施例においては、二本の側枠２は略平行に配置した構成としているが、当該二本の側枠２は必ずしも平行とする必要はなく、本考案の機能を害さない範囲において、デザイン等に応じた配置、形状とすることができる。
【００４４】
上記実施例においては、バックル本体１のベルト押さえ部５間に間隙部６を形成し、当該箇所において係止片９を配置してバックル本体１の側面から挿通された軸体に対して係止片９を枢着した構成としているが、本考案は当該構成に限定するものではなく、例えば、ベルト押さえ部５を一本として側枠２間に架橋し、その中央部を縮径部とし、当該縮径部に対して係止片９の基端が握持する構成等とすることもできる。
【００４５】
本実施例においては、係止片９における係止片基体９ｂに対する係止ピン１１の俯角αは７７°としているが、本考案は、上記実施例に限定するものではなく、俯角αは概ね６５°以上７７°以下とすることで、ベルト止め孔３ａに対する係止ピン１１の着脱を良好とすることができる。俯角が７７°を超えると係止ピン１１がベルト止め孔３ａから抜けにくくなる傾向が大きくなり、俯角が６５°未満となると係止ピン１１がベルト止め孔３ａに入り難くなる。
【００４６】
上記実施例においては、係止片９は四角柱状の係止片基体９ｂとし、その裏面側に円錐の先端を半球面状に形成した係止ピン１１を傾斜して突設した構成としたが、本考案は上記構成に限定するものではない。例えば、係止片基体９ｂは他の柱状、錘状等任意の形状を採用することができる。また係止片基体９ｂは、係止ピン１１の一部として形成することもできる。
即ち、例えば、先端に係止ピン１１の機能を備えた柱状部材をその途中で屈曲し、その基端側を係止片基体９ｂとし、先端側を本考案における係止ピン１１とすること等ができる。
【００４７】
また上記実施例においては、ベルト用バックルＫを構成するバックル本体１、係止片９、支軸１２はいずれも金属製材料によって構成しているが、本考案は上記実施例に限定するものではなく、これらの少なくとも一つ以上は合成樹脂によって構成することもできる。合成樹脂の種類は特に限定しないが、例えば、メッキ処理に適したＡＢＳ樹脂や、耐久強度に優れたポリカーボネート等を用いることができる。
【００４８】
また上記実施例において、ベルト本体３は合成皮革からなる非伸縮性材料によって構成しているが、本考案は上記実施例に限定するものではなく、例えば、少なくとも長手方向に伸縮性を有するベルト本体３とすることができる。
当該長手方向に伸縮性を有するベルト本体３と本考案に係るベルト用バックルＫとを組み合わせることにより、ベルト本体３の弾性力によって係止ピンがベルト止め孔の側部を押圧しながら係止するため、より強固に当該ベルト用バックルを係止させることができる点において優れる。
【００４９】
また上記実施例においては、支軸の係止手段として支軸１２のスプライン軸部１２ａと軸孔８のスプライン孔との嵌合によって固定しているが、本考案は当該実施例の構成に限定されるものではなく、雌雄のネジの螺合の他、公知の種々の係合手段を用いることができる。
【００５０】
また上記実施例において、角部９ｃは直角として形成しているが、本考案は上記実施例に限定されるものではなく、作用点として機能する範囲で角度を設定できる。また作用点として機能する範囲内で角部が鋭利とならないように、例えば半径０．３ｍｍ程度の湾曲面（面取り加工）を付すことができる。
【符号の説明】
【００５１】
Ｋ      ベルト用バックル
Ｌ      ベルト
１      バックル本体
２      側枠
３      ベルト本体
３ａ    ベルト止め孔
４      ベルト固定部
５      ベルト押さえ部
５ａ    曲面
６      間隙部
７      貫通孔
８      軸孔
９      係止片
９ａ    曲面
９ｂ    係止片基体
９ｃ    角部
９ｄ    基端面
１０    横軸孔
１１    係止ピン
１２    支軸
１２ａ  スプライン軸部
１３    ベルト支持部
１４    凹部
１５    ベルト挿通開口
α      俯角
β      交差角度
【図１】
0003201864.tif 000003
【図２】
0003201864.tif 000004
【図３】
0003201864.tif 000005
【図４】
0003201864.tif 000006
【図５】
0003201864.tif 000007
【図６】
0003201864.tif 000008
【図７】
0003201864.tif 000009
【図８】
0003201864.tif 000010
【図９】
0003201864.tif 000011
【図１０】
0003201864.tif 000012
【図１１】
0003201864.tif 000013
【図１２】
0003201864.tif 000014
【図１３】
0003201864.tif 000015
【図１４】
0003201864.tif 000016